(57)【特許請求の範囲】
【請求項１】
竿体の所定箇所に装着されるシートボディに、リールの前後脚部を保持するフード部を備え、前記フード部における前記前後脚部の一方を挿入して収納固定する側の縁部の外周面と前記シートボディの外周面との接続部位を段差のない又は少ない状態で滑らかに繋がる状態に構成してある筒状リールシートであって、
前記フード部における前記縁部が位置する側とは反対側の竿先側又は竿尻側に位置する開口縁に金属製の装飾リングを装着し、前記装飾リングを、前記フード部の前記開口縁の内周面に嵌合装着される小径部と前記フード部の外周面に段差なく繋がる大径部とで構成し、前記小径部から前記大径部の内周面を前記シートボディの内径に一致させるように形成してある筒状リールシート。
【請求項２】
前記フード部を、前記シートボディに凹入形成した取付用の座面と、その座面に被嵌されるカバー体とで構成し、前記カバー体を前記取付用の座面に装着した状態で、前記カバー体の縁部の外周面と前記シートボディの外周面との接続部位を段差のない滑らかに繋がる状態に構成してある請求項１記載の筒状リールシート。
【請求項３】
請求項１又は請求項２記載の筒状リールシートを備えた釣り竿。
【発明の詳細な説明】
【技術分野】
【０００１】
本発明は、竿体の所定箇所に装着されるシートボディに、リールの前後脚部を保持するフード部を備え、前記フード部縁部の外周面と前記シートボディの外周面との接続部位を段差のない又は少ない状態で滑らかに繋がる状態に構成してある筒状リールシート及び釣り竿に関する。
【背景技術】
【０００２】
筒状のリールシートとしては、竿体の所定箇所に装着されたシートボディとしてのリールシート（公報内番号：２）に、フード部としての移動フード（公報内番号：３）とフード部としての固定フード（公報内番号：５）を備えるとともに、シートボディに形成した螺子部（公報内番号：２ａ）にナット（公報内番号：４）を螺着して、ナットを螺進移動させることによって、移動フードをリールシートの軸線方向にスライド移動可能に構成するものがある（特許文献１）。
【特許文献１】実開平７−６１号公報（段落〔０００８〕，図１）
【発明の開示】
【発明が解決しようとする課題】
【０００３】
上記構成にあっては、移動フード及び固定フード共に、リール脚を収納する大径膨出部を備えており、この大径膨出部の大きな径で円筒状に形成されているので、その大径膨出部分が全周に亘って、シートボディより外側に突出する状態となっている。
したがって、シートボディの外周面と大径膨出部の外周面との間には、大きな段差部分が形成されている。このために、実際の釣り操作時において、リール脚部とリールシートとを伴握りする場合には、手指がこの段差部に掛かることとなり、手が圧迫感を受け、長時間の使用で痛くなる等の不都合を生ずるものであった。
【０００４】
本発明の目的は、フード部の構成に工夫を加えることによって、手が圧迫感を受けがたく、長時間の使用でも痛くなりにくいリールシートを提供する点にある。
【課題を解決するための手段】
【０００５】
〔構成〕
請求項１に係る発明の特徴構成は、竿体の所定箇所に装着されるシートボディに、リールの前後脚部を保持するフード部を備え、前記フード部における前記前後脚部の一方を挿入して収納固定する側の縁部の外周面と前記シートボディの外周面との接続部位を段差のない又は少ない状態で滑らかに繋がる状態に構成してある筒状リールシートであって、
前記フード部における前記縁部が位置する側とは反対側の竿先側又は竿尻側に位置する開口縁に金属製の装飾リングを装着し、前記装飾リングを、前記フード部の前記開口縁の内周面に嵌合装着される小径部と前記フード部の外周面に段差なく繋がる大径部とで構成し、前記小径部から前記大径部の内周面を前記シートボディの内径に一致させるように形成してある点にあり、その作用効果は次の通りである。
【０００６】
〔作用〕
前記フード部の縁部の外周面と前記シートボディの外周面との接続部位を段差のない又は少ない状態で滑らかに繋がる状態に構成してある。このことによって、リール脚部とリールシートとを伴握りする場合に、手指がこの接続部位に掛かることとなっても、段差を感じることが少なく、手が違和感や圧迫感を感ずることなく、かつ、長時間の使用であっても痛くなることは少ない。
【０００７】
〔効果〕
長時間の釣りであっても、快適に操作を続けることができるリールシートを提供することができた。
【０００８】
〔構成〕
請求項２に係る発明の特徴構成は、請求項１に係る発明において、前記フード部を、前記シートボディに凹入形成した取付用の座面と、その座面に被嵌されるカバー体とで構成し、前記カバー体を前記取付用の座面に装着した状態で、前記カバー体の縁部の外周面と前記シートボディの外周面との接続部位を段差のない又は少ない状態で滑らかに繋がる状態に構成してある点にあり、その作用効果は次の通りである。
【０００９】
〔作用効果〕
前記カバー体の外周面と前記シートボディの外周面との接続部位を段差のない又は少ない状態で滑らかに繋がる状態に構成するために、シートボディに凹入形状の取付用の座面を設けることとした。このことによって、カバー体の厚みと凹入部の深さを同一又は略同一のものにして、その取付座にカバー体を取付た状態で、両者の接続部位を段差のない又は少ない状態にできる。
このことによって、リール脚部とリールシートとを伴握りする場合に、手指がこの接続部位に掛かることとなっても、段差を感じることが少なく、手が違和感や圧迫感を感ずることも少なく、かつ、長時間の使用であっても痛くなることは少ない。
【００１０】
〔構成〕
請求項３に係る発明の特徴構成は、請求項１又は請求項２記載の筒状リールシートを備えた釣り竿である点にあり、その作用効果は次の通りである。
【００１１】
〔作用効果〕
リール脚部とリールシートとを伴握りする場合に、手が違和感や圧迫感を感ずることがなく、かつ、長時間の使用であっても痛くなることは少ないので、釣り竿の操作も軽快に行うことができ、仕掛けの投入、巻上げ操作を軽快に行うことのできる釣り竿を提供できるに至った。
【発明を実施するための最良の形態】
【００１２】
投げ竿Ａについて説明する。投げ竿Ａは、図１に示すように、トップガイド１Ａ、２番ガイドから６番ガイドまでの５つの釣り糸ガイド１Ｂを備えた一番竿１と、７番ガイド２Ａを備えた二番竿２と、スピニングリール５を取付固定した筒状リールシート４と竿尻端に握り部６とを備えた竿体としての元竿３とを、並継式に連結して構成してある。
【００１３】
握り部６は、元竿３の径より大径に形成して、仕掛けを投げる際に握り部６を握る手が滑り難いようになっている。握り部６の外周面は円形の断面を呈するものでもよいが、楕円状に形成してもよい。つまり、図１に示す状態で、横幅が上下幅より広い楕円形に形成すれば、握る手に力を込めやすく、遠投が容易になる。
【００１４】
筒状リールシート４について説明する。図２及び図３に示すように、筒状リールシート４は、筒状のシートボディ１０、前後二つのカバー体１１、１２、後カバー体１２の内部に可動式の脚押さえ体１３、後カバー体１２の竿尻側にスリーブ１４、スリーブ１４の竿尻側に可動式の脚押さえ体１３を駆動移動させるべく竿の軸線方向には移動不能で回転可能なナット体１５、ナット体１５の竿尻側にストッパー体１６、ストッパー体１６の後端と前カバー体１１の前端とに装飾リング１７、を備えて構成してある。
【００１５】
筒状のシートボディ１０について説明する。図３から図５に示すように、筒状のシートボディ１０には、軸線方向に沿って竿先端の開口と竿尻端の開口とに達する貫通孔１０Ａが形成されており、貫通孔１０Ａの内周面側には、図７〜図９に示すように、円周方向８箇所に貫通孔１０Ａの全長に亘る突条１０ａが形成されている。
【００１６】
この突条１０ａの機能は元竿３の外周面に筒状のシートボディ１０を密着状態で外嵌させるためであり、種々の外径を有する元竿３であっても、突条１０ａの先端部が撓みを生ずることが可能であり、この筒状のシートボディ１０の内周面を適合させることが可能になる。ただし、元竿３の外径が更に大径のものであれば、突条１０ａの内面を研削加工することによって、大径化を図り、大径の元竿３との適合性を確保することができる。
【００１７】
このような突条１０ａを有していない従来構成の場合には、元竿３に適合させるために、糸を密着巻きに巻き付けて元竿３の外径を見掛け上大きくし筒状のシートボディ１０の内周面との適合性を図っていたが、作業性の悪いものであった。
上記のような構成を採ることによって、種々の外径を有する元竿３に対して幅広く適合性を確保でき、筒状リールシート４を単独で販売することが容易になる。
また、元竿３の外径に対する適合性が高いので、元竿３の竿尻から竿先側の任意の間隔位置に筒状リールシート４を位置固定することが容易に行え、釣り人の好みに対応した設置形態を容易に採ることができる。
【００１８】
図３から図５に示すように、筒状のシートボディ１０の竿先側端部には、スピニングリール５のリール脚５Ａの竿先側に延出された前脚部５ａを覆い押さえ作用するフード部を構成する脚取付部１０Ｂが形成されている。脚取付部１０Ｂは、筒状のシートボディ１０の外方に膨出する膨出部１０ｂを立設するとともに、膨出部１０ｂの内部に前脚部５ａを収納する凹部を形成してある。
【００１９】
この膨出部１０ｂは、スピニングリール５の前脚部５ａを凹部内に収納した際に前脚部５ａに密着して押し付け固定する際に、弾性変形して押さえつけ状態を強固にする機能を担っている。筒状のシートボディ１０は、ナイロン、ポリエチレン等の熱可塑性樹脂を材料として成形される。
従来、このような機能を担うものは、樹脂製のクッション材として別部品として構成され、リール脚を押さえ支持していた金属製の可動フードの内周面に接着固定されていた。しかし、可動フードの内周面に取り付ける作業が煩雑でかつ使用が長期に亘ると剥がれやすくなる欠点があった。
しかし、上記のように、クッション部材として機能するものをシートボディの一部として一体形成することが可能になったので、従来の欠点が解消できている。
【００２０】
前カバー体１１の取付構造について説明する。図３から図６に示すように、スピニングリール５の前脚部５ａを収納する脚取付部１０Ｂに、竿先開口端から軸線方向に沿って前脚部５ａを収納する凹部の入り口近くに達する範囲で、外周を小さくする浅い削り代部分１０ｃを設けてある。この削り代部分１０ｃは前脚部５ａを収納する凹部の入り口付近において段差部分１０ｄを形成してある。
【００２１】
前カバー体１１は、脚取付部１０Ｂに外嵌被着されるものであるが、前記した浅い削り代部分１０ｃをピッタリ覆う筒状体に形成され、図３及び図６に示すように、浅い削り代部分１０ｃに被着された状態で前記段差部分１０ｄより突出しないように、薄い金属で構成されている。金属材料としては、ステンレス、チタン、アルミニュウム等が採用される。ただし、金属以外の材料を使用する場合には、周方向に強化繊維を配した樹脂材を使用することも可能である。この場合には、熱可塑性樹脂以外に熱硬化性樹脂のエポキシ等の使用が可能である。これによって、金属を使用する場合に比べて軽量化等を図ることができる。
ここに、浅い削り代部分１０ｃを、前カバー体１１を取り付けるための取付用の座面と称する。
【００２２】
筒状の前カバー体１１は、図３〜図６に示すように、竿先端側が小径で膨出部１０ｂを覆う部分が大径となる形状を呈しており、浅い削り代部分１０ｃに被着した状態で、前記段差部分１０ｄにはまり込む形状となっており、筒状のシートボディ１０の外周面と前カバー体１１の外周面との間に段差の無い状態とする機能を有する。
このように、スピニングリール５の前脚部５ａを取り付ける脚取付部１０Ｂにおける外周面を段差のない滑らかな面に形成できたので、釣り操作時に、元竿３とスピニングリール５とを伴握りする釣り人の人指し指等が脚取付部１０Ｂに掛かることとなるが、その部分が滑らかな面に形成してあるので、違和感が少なく釣り人の指が痛くならず、握りやすくなる。
【００２３】
前記したように、脚取付部１０Ｂにおける膨出部１０ｂは、クッション性を持たせた部分であるが、この脚取付部１０Ｂに金属製の前カバー体１１を被着することによって、補強することができ、前脚部５ａを収納しての取付状態を強固なものにできる。
ここに、前カバー体１１と脚取付部１０Ｂとで、固定側のフード部７を構成する。このフード部７が保持する対象となるリールとしては、スピニングリール以外に両軸受リールであってもよい。
【００２４】
装飾リング１７について説明する。図３〜図６に示すように、装飾リング１７は前カバー体１１の竿先端に取付けられるものであり、筒状のシートボディ１０の竿先端、竿尻端の端部処理を良好なものとするものである。
つまり、従来、筒状のシートボディ１０の竿先端、竿尻端においては、元竿３の外周面とシートボディ１０の竿先端等の開口縁との間に内外径の相違により半径方向で間隙が存在する場合には、元竿３の外周面に取付用の糸を巻き付けてその間隙を埋め巻き付けた糸とシートボディ１０の端部とに亘って樹脂塗料を塗って固める作業形態を採っていた。そうすると、糸を巻き付ける作業と樹脂塗料を塗布する作業が大変手間の掛かるものになっていた。
【００２５】
そこで、前記したように、装飾リング１７を前カバー体１１の竿先端の開口縁に取り付けることによって、糸を巻き付ける作業や樹脂塗布作業を必要としない。つまり、装飾リング１７の内径を元竿３の外径に適したものに形成することによって、元竿３の外周面とシートボディ１０の竿先端等の開口縁との間の間隙を塞ぐことが容易になる。
【００２６】
図３〜図６に示すように、装飾リング１７は、外周面に大径部１７ａと小径部１７ｂを有しており、小径部１７ｂを前カバー体１１の竿先開口端の内周面に密着する状態で装着され、大径部１７ａと小径部１７ｂとの段差部分を前カバー体１１の竿先端に当接させて、位置決めされるものである。大径部１７ａは前カバー体１１の外周面と段差無い状態で繋がるように、同一外径に設定されている。装飾リング１７は前カバー体１１に接着固定される。
【００２７】
次に、後カバー体１２等を取付ける筒状のシートボディ１０の構造について説明する。
図４及び図５に示すように、筒状のシートボディ１０の構造として、前記した脚取付部１０Ｂから竿尻側に向けて、リール脚取付面を含む中間取付部１０Ｃを形成するとともに、後カバー体１２の装着位置から竿尻端までに中間取付部１０Ｃより小径の竿尻端部１０Ｄを形成してある。
【００２８】
図４、図６及び図７に示すように、中間取付部１０Ｃから竿尻端部１０Ｄにかけてリール脚取付面の左右中心位置に、断面が僅かに円弧状に盛り上がっている円弧状受止面１０ｅを、軸線方向に沿った状態で、かつ、スピニングリール５の前脚部５ａおよび後脚部５ｂの底面を受止る状態に設けてある。
断面が円弧状に盛り上がっている円弧状受止面１０ｅの左右両端位置には、平坦面が形成してあり、リール脚５Ａの左右両端及び脚押さえ体１３の両端脚部１３Ｃを受け止めることのできる平坦受止面１０ｆに形成してある。
【００２９】
図４及び図６に示すように、平坦受止面１０ｆも円弧状受止面１０ｅと同様に、竿尻端まで形成されている。ただ、平坦受止面１０ｆの中間取付部１０Ｃにおける部分１０ｇの左右幅は一定のものではない。まず、リール５の前脚部５ａを収納する凹部の横幅に対応した広い部分から、一旦竿尻端側に向けて細い幅になるとともに細い幅の中間部から竿尻端側に向けて広い幅のものとなる。
平坦受止面１０ｆにおける竿尻端部１０Ｄに対応した部分１０ｈにおいては、二つの部分に区分けされており、竿先側の部分が広い幅の矩形部分であり、竿尻側の部分が狭い幅の矩形部分に形成されている。
【００３０】
次に、筒状のシートボディ１０における中間取付部１０Ｃと竿尻端部１０Ｄとの外周形状について説明する。図１１〜図１４に示すように、中間取付部１０Ｃにおける平坦受止面１０ｆ及び円弧状受止面１０ｅ以外の外周部分１０ｊは、筒状のシートボディ１０の貫通孔１０Ａにおける軸線Ｘを中心とした半径Ｒ２の円弧を呈する。
【００３１】
竿尻端部１０Ｄにおける竿先側半分における平坦受止面１０ｆ及び円弧状受止面１０ｅ以外の外周部分１０ｋは、三つの部分に区画されており、左右の二つの部分は、半径が前記した中間取付部１０Ｃの外周部分１０ｊの半径Ｒ２に比べて何倍も大きな略直線に近い大径の左右円弧面１０ｍを呈するものである。この大径の左右円弧面１０ｍに挟まれた下向き円弧面１０ｎは、図１３に示すように、前記した筒状のシートボディ１０の貫通孔１０Ａの半径とほぼ同様の半径による円弧状を呈するが、筒状のシートボディ１０の貫通孔１０Ａにおける軸線Ｘ位置よりやや上方に位置する軸心Ｙを中心とした半径Ｒ３による円弧を呈する。
【００３２】
図１２〜図１４に示すように、中間取付部１０Ｃにおける外周部分１０ｊと、竿尻端部１０Ｄにおける外周部分１０ｋとの間には、円弧面の中心が間隔αだけ異なる芯ズレが生じており、そのことによって、図１２に示すように、中間取付部１０Ｃと竿尻端部１０Ｄとの境界面には段差１０ｐが形成されている。また、芯ズレによって、図１３に示すように、中間取付部１０Ｃの下面部分の肉厚と竿尻端部１０Ｄの下面部分の肉厚とは、竿尻端部側の方が薄くなっている。
この点による作用効果については後述する。
【００３３】
筒状のシートボディ１０の竿尻端には、ストッパー体１６を取り付ける構造が形成され、次のような構成となっている。図１１、図１２、図１５に示すように、竿尻端部１０Ｄにおける竿尻端の外周面１０ｑは、貫通孔１０Ａの軸線Ｘを中心とし、竿尻端部１０Ｄにおける外周部分１０ｋの半径Ｒ３より若干小径Ｒ４で形成されている。そして、外周面１０ｑには、上半分の左右に二つの突起１０ｒが設けてあり、ストッパー体１６を抜止固定する突起１０ｒとして機能させている。
【００３４】
以上のような構成を採る筒状のシートボディ１０に対して、後カバー体１２、スリーブ１４、ナット体１５、ストッパー体１６とを装着する。まず、後カバー体１２の取付について説明する。図４から図６に示すように、後カバー体１２は、薄い肉厚の筒状体であって、断面形状は、図７に示すように、下半部分１２Ａが円弧状を呈しており、その上方は、半径が下半部分１２Ａの半径の何倍にも大きな略直線状の部分１２Ｂとなっており、左右直線状部分１２Ｂの上方には、下半部分１２Ａの半径より大きく直線状部分１２Ｂの半径より小さな半径を有する上端部１２Ｃが形成されている。
【００３５】
上記のような後カバー体１２を、図３及び図６に示すように、筒状のシートボディ１０の竿尻端部１０Ｄに外嵌装着し、その後カバー体１２の前端を、この竿尻端部１０Ｄと中間取付部１０Ｃとの間に形成された段差１０ｐに当接させて位置決めする構成を採っている。後カバー体１２は、図６及び図７に示すように、下半部分１２Ａを筒状のシートボディ１０の竿尻端部１０Ｄの下向き円弧面１０ｎに密着する状態に、かつ、略直線状部分１２Ｂを筒状のシートボディ１０の竿尻端部１０Ｄの左右円弧面１０ｍに密着する状態に取り付けられており、略直線状部分１２Ｂの上半分と上端部１２Ｃとは、平坦受止面１０ｆと円弧状受止面１０ｅとから離れた上方に位置する構成となっている。
【００３６】
以上のように、後カバー体１２は、シートボディ１０の非円形状態を呈する中間取付部１０Ｃに密着する状態で取付られるので、シートボディ１０の周方向には回転しないものとなっている。
後カバー体１２の上端部１２Ｃ及び略直線状部分１２Ｂの上半分と、筒状のシートボディ１０の平坦受止面１０ｆと円弧状受止面１０ｅとの間に形成された空間には、脚押さえ体１３が挿入される。
【００３７】
前記したように、後カバー体１２を装着する筒状のシートボディ１０の竿尻端部１０Ｄにおける下向き円弧面１０ｎは、貫通孔１０Ａの軸芯Ｘよりリール脚取付部側に偏位した軸芯Ｙを中心とした円弧面に形成されている。つまり、図１３に示すように、貫通孔１０Ａは軸芯Ｘを中心とした円弧面を呈し、下向き円弧面１０ｎは軸芯Ｙを中心とした円弧面を呈するところから、貫通孔１０Ａと下向き円弧面１０ｎとの間に形成される肉厚は、軸芯Ｘを中心として下向き円弧面１０ｎを形成した場合に比べて薄くなっている。
【００３８】
このように下向き円弧面１０ｎを偏芯した軸芯Ｙを中心とした円弧面とすることによって、後カバー体１２においても軸芯Ｙを中心として下半部分１２Ａを構成できる。そして、脚押さえ体１３を収納するための収納空間を形成する為に、下半部分１２Ａの上方に直線状部分１２Ｂと上端部１２Ｃとを形成できる。
したがって、脚押さえ体１３を収納するために、直線状部分１２Ｂと上端部１２Ｃとが図示した形状を維持するものであっても、中間取付部１０Ｃの下半部分を薄肉に形成することによって下半部分１２Ａの形状を小さくできるので、後カバー体１２の構造をコンパクトなものにできる。
そうすると、この部分に指を回してリール脚５Ａとリールシート４とを伴握りする釣り人に採って握り易く、かつ、この薄い肉部分の形状も任意なものにできる。
【００３９】
以上のような構成になる後カバー体１２を筒状のシートボディ１０の竿尻端部１０Ｄに外嵌装着した状態で、後カバー体１２の竿先側端は中間取付部１０Ｃと竿尻端部１０Ｄとの接続部位に形成されている段差１０ｐに当接して、後カバー体１２の外周面を中間取付部１０Ｃの外周部分１０ｊと段差なく連続する状態に設置できる。
【００４０】
後カバー体１２は、筒状のシートボディ１０の竿尻端部１０Ｄに外嵌装着されるものであるが、この竿尻端部１０Ｄは、中間取付部１０Ｃから一段切り下げ加工した部分であり、後カバー体１２の取付座面に構成してある。
したがって、図６に示すように、後カバー体１２は、その取付座面に外嵌被着された状態で、取付座面をピッタリ覆う筒状体に形成され、その取付座面に被着された状態で前記段差１０ｐより突出しないように、薄い金属で構成されている。金属材料としては、ステンレス、チタン、アルミニュウム等が採用される。ただし、金属以外の材料を使用する場合には、周方向に強化繊維を配置した樹脂材を使用することも可能である。この場合には、熱可塑性樹脂以外に熱硬化性樹脂のエポキシ等の使用可能である。これによって、金属を使用する場合に比べて軽量化等を図ることができる。
【００４１】
従来、筒状のシートボディ１０の外周面に雄ネジ部を形成し、リール脚の前後脚部を収納固定する可動フードをナットとともにスライド移動させる形態を採っていた構成においては、雄ネジ部を形成した筒状のシートボディ１０の外周面は、貫通孔１０Ａの軸芯を中心として円弧面に形成されているので、肉厚が厚くなり、そのために、可動フードの下半部分も大径のものとなり、結果的に可動フードは大型のものとなっていた。
【００４２】
ここで、貫通孔１０Ａの軸芯Ｘを中心として、筒状のシートボディ１０のリール取付面部分とは１８０°反対側での肉厚を薄くできるので、この部分に外嵌される後カバー体１２も偏芯した軸芯Ｙを基準としてリール取付面側に偏位した状態で設けることができる。
これによって、リール脚５Ａの取付位置を貫通孔１０Ａの軸芯Ｘに対して偏芯した状態で設けることができ、実際の釣り時においては、リールシート４の下方に配置されるリール５の取付位置が下方に位置することとなり、釣り竿Ａとしての重心が下がって安定する。
【００４３】
また、このようにリールシート４がリール取付部側に若干偏位した状態となるので、寧ろ、楕円状のものを握る感覚に近いものとなる。つまり、筒状のリールシートではなく、元竿の外周方向における下向きの面だけに板状のリールシートを取り付け、その板状のリールシートにリールを取付け、リールシートとリール脚とを伴に握り込む場合と同様の握り感覚を得られるのである。板状のリールシートが元竿の外周面の下向き位相だけに取付られている場合には、元竿の他の外周面より少し板状のリールシートが外向きに突出していることとなっているので、完全な円形のリールシートを握る場合に比べて非円形部分が抵抗となってリールシートを握る手が滑り難く、仕掛けを投げる投げ釣り操作に適したリールシートとすることができた。
【００４４】
前記した後カバー体１２の竿尻端側には、スリーブ１４が装着される。図４から図６、及び、図１０に示すように、スリーブ１４は、筒状体ではあるが、後カバー体１２との竿先側の接続端１４Ａは斜め上向きに傾斜する開口となっている。その開口に直交する状態にスリーブ１４の軸線が設定され、その軸線に沿って斜め方向にスリーブ１４の外周面が形成されている。スリーブ１４の竿尻側の接続端１４Ｂは上下向き姿勢の開口となっている。竿先側の接続端１４Ａには上端部分に竿先側に突出する鍔部１４ｂを設けてあり、スリーブ１４を後カバー体１２の竿尻側に装着した際に、鍔部１４ｂが後カバー体１２の竿尻端側開口端に入り込み位置決めする機能を発揮する。
【００４５】
図１６及び図１７に示すように、スリーブ１４の内部に形成してある挿通孔１４ａは、筒状のシートボディ１０の竿尻端部１０Ｄに外嵌するように、竿尻側の接続端１４Ｂの開口に直交する状態に形成してあり、挿通孔１４ａは、スリーブ１４の軸線とは交差する状態にある。したがって、スリーブ１４の肉厚は、竿先側の接続端１４Ａにおいては、上端側が厚く下端側が薄い。反対に竿尻側の接続端１４Ｂにおいては、上端側が薄く下端側が厚い構成を採っている。以上のようにスリーブ１４は、外側の筒状体の向きは斜め上向きであるが、内部に形成されている挿通孔１４ａは、水平向きに挿通されている。
【００４６】
上記のようなスリーブ１４を筒状のシートボディ１０の竿尻端部１０Ｄに外嵌すると、図６に示すように、鍔部１４ｂが後カバー体１２の竿尻端側開口から内部に入り込み、後カバー体１２の竿尻端が鍔部１４ｂを覆ってスリーブ１４の竿先側の接続端に当接して両者の位置決めがなされる。
所定位置に装着されたスリーブ１４は、後カバー体１２の竿尻端と段差無く繋がる状態で取り付けられており、リールシート４を握り込む釣り人に、違和感や手の痛みを与えることはない。
【００４７】
図２、及び、図６に示すように、スリーブ１４を取り付けた状態で筒状のシートボディ１０の中間取付部１０Ｃより外側に向けて突出する状態となっており、リールシート４とリール脚５Ａとを伴握りする釣り人の手にスリーブ１４の外面の突出部１４ｃが当接して抜止機能を発揮して、釣り竿Ａが強く引かれても手から擦り抜けることが抑制される。
【００４８】
ナット体１５について説明する。図２から図６及び図８、図１０に示すように、ナット体１５は略円筒状の形態を示しており、内周面に雌ネジ部１５Ａを形成してある。竿先側、及び、竿尻側の開口部には、図５に示すように、斜めにカットされた円弧状隅部１５ａを形成して、丸味を帯びた形状に形成してある。外周面には、図８に示すように、大型のスプライン部１５Ｂ構造が形成してあり、人為的にナット体１５を回転操作する際の滑り止め構造としてある。
【００４９】
図６及び図１０に示すように、ナット体１５とスリーブ１４と後カバー体１２の内部空間には脚押さえ体１３が挿入され、脚押さえ体１３でスピニングリール５の後脚部５ｂを押さえ作用すべく構成してある。
【００５０】
脚押さえ体１３について説明する。図２〜図６、図８及び図１０、図１８〜図２０に示すように、脚押さえ体１３は、竿先側に配置された頭部１３Ａと、頭部１３Ａの竿尻側に配置されたネジ部１３Ｂとで構成されている。頭部１３Ａは、略アーチ状の形状を呈しており、円弧状の外周面１３ａを後カバー体１２の内周面に摺接させてスライド移動するように構成してある。図２０に示すように、頭部１３Ａの内周面側には略アーチ状の天井面１３ｂと左右の縦壁面１３ｃとで囲まれた凹入空間１３ｄが形成してあり、その凹入空間１３ｄ内にスピニングリール５等の後脚部５ｂを挿入して、押さえ固定するように構成してある。
【００５１】
ネジ部１３Ｂについて説明する。図１８及び図１９に示すように、ネジ部１３Ｂは、頭部１３Ａに比べて薄くかつ略長方形状を呈し、その長方形状の上面に雄ネジ１３ｅが形成してある。この雄ネジ１３ｅがナット体１５の雌ネジ部１５Ａに咬合し、ナット体１５の回転によって、脚押さえ体１３が竿の軸線方向に沿ってスライド移動可能に構成してある。
【００５２】
図１９及び図２０に示すように、頭部１３Ａに形成された凹入空間１３ｄの竿尻端からネジ部１３Ｂ内の底面部に至る状態で、上向きに凹入する円弧断面の凹入路１３ｆが形成してあり、筒状シートボディ１０に形成された円弧状受止面１０ｅに凹入路１３ｆが上方から当接して、竿線方向からズレなく移動できるように構成してある。
【００５３】
頭部１３Ａにおける縦壁面１３ｃを備えている部分は頭部１３Ａを支持する脚部１３Ｃとなっており、この脚部１３Ｃの底面が筒状シートボディ１０の平坦受止面１０ｆに載置されて、脚押さえ体１３がスライド移動するようになっている。
ここに、脚押さえ体１３とその脚押さえ体１３を被覆してガイドする後カバー体１２とでフード部を構成する。
【００５４】
以上のように、頭部１３Ａの左右両側部に脚部１３Ｃが形成されており、かつ、頭部１３Ａの上面は後カバー体１２の内周面に摺接しているので、脚押さえ体１３のスライド移動がフラツキなく行え、ナット体１５のフラツキも少なく回転操作も円滑に行える。
【００５５】
従来は、脚押さえ体１３は、リールの脚部を挿入して押さえるべく、アーチ状のフードを備えた筒状の可動体で構成されており、この可動体が筒状シートボディ１０に形成したネジ部に螺合したナット体とともに竿の軸線方向に移動することによって、リール脚部を取り付ける状態と固定する状態とに切り換わっていた。
【００５６】
リール脚を固定する状態では、ネジ部に螺合したナット体によって受け止めるために、ネジ部はネジピッチが大きく、強度の高い角ネジ状のものが使用されている。そして、可動体とナット体とのリール脚部を押さえる状態と退避する状態との間の切り換えを優先するところから、可動体がフラツキ易く、リール脚を支持する姿勢が安定しなかった。
【００５７】
ストッパー体１６について説明する。図２〜図６及び図２１〜図２３に示すように、ナット体１５の更に竿尻側にストッパー体１６は位置する。ストッパー体１６は、略筒状のものであり、竿先側開口端１６Ａが大径で竿尻側開口端１６Ｂが小径に形成され、図２２において、上端部分が肉厚で、下端部分が肉薄に徐々に変化する厚みに構成されている。
図２１に示すように、ストッパー体１６の外形形状は、図面上軸線を挟んで上方側の面においては、竿尻側に徐々に縮径する緩傾斜面１６ａと緩傾斜面１６ａの更に竿尻側に急傾斜面１６ｂとを備え、図面上軸線を挟んで下方側の面においては、竿先端から竿尻端に亘って徐々に縮径する緩傾斜面１６ａに形成してある。
【００５８】
図２１〜図２３に示すように、ストッパー体１６の内部空間には軸線方向に沿って貫通する貫通孔１６Ｃが形成され、貫通孔１６Ｃにおける竿先端側に、筒状のシートボディ１０の竿尻端１０ｓに外嵌合する嵌合孔１６ｃと、嵌合孔１６ｃより小径な位置決め孔１６ｄを形成してある。嵌合孔１６ｃにおける竿先端側開口端には、内向きに突出する突条１６ｅが上半分に亘って設けてあり、この突条１６ｅを筒状のシートボディ１０の竿尻端１０ｓに螺合する。
【００５９】
つまり、図１１、図１２及び図２３に示すように、筒状のシートボディ１０の竿尻端１０ｓには、竿尻端部１０Ｄにおける外周部分１０ｋより小径に形成されている外周面１０ｑとその外周面１０ｑより竿尻端側に位置する突起１０ｒとが形成してある。これに対して、図６及び図９に示すように、突条１６ｅを外周面１０ｑに当接するようにかつ突起１０ｒの竿先側に位置するように嵌め込み嵌着することによって、ストッパー体１６を所定状態に取付固定できる。ストッパー体１６が筒状のシートボディ１０の竿尻端部１０Ｄに嵌合固定された状態で、その外周面はナット体１５の外周面と滑らかに繋がって、リールシート４とリールとを伴握りする手に、違和感を与えず、手を圧迫することがない。
【００６０】
具体的に、このストッパー体１６を筒状のシートボディ１０の竿尻端部１０Ｄに嵌合固定する方法は次のようになっている。まず、図２３に示す、ストッパー体１６の突条１６ｅをシートボディ１０の竿尻端１０ｓの突起１０ｒが存在しない位相となる姿勢に設定して、ストッパー体１６を被せ、その突条１６ｅが筒状のシートボディ１０の竿尻端部１０Ｄの小径外周面１０ｑと竿尻端部１０Ｄにおける外周部分１０ｋとの境界部位に形成された段差部分に当接するまで軸線方向に沿って動かす。突条１６ｅが小径外周面１０ｑに至ると、ストッパー体１６を円周方向に１８０°反転させて、突条１６ｅが筒状のシートボディ１０の竿尻端部１０Ｄにおける突起１０ｒの竿先側に入り込む状態にして、突条１６ｅと突起１０ｒとを圧接させてストッパー体１６のシートボディ１０に対する取付状態を固定する。
【００６１】
以上説明したように、ナット体１５は、スリーブ１４とストッパー体１６とに挟まれて、筒状のシートボディ１０の軸線方向には移動不能に構成してある。円周方向に回転のみ可能である。一方、筒状のシートボディ１０の軸線方向に移動するものは、脚押さえ体１３であり、脚押さえ体１３は、後カバー体１２、ナット体１５の内部空間内に収納されている。したがって、ナット体１５に形成された雌ネジ部１５Ａと脚押さえ体１３の雄ネジ部１３ｅは表には出てはいない。
【００６２】
従来は、前記したように、筒状のシートボディ１０に円周方向全周に亘ってネジ部を刻設し、このネジ部にナットを螺合させ、リール脚を保持する可動フードをシートボディの軸線方向に沿ってスライド移動可能に構成していた。これによって、ネジ部に螺合したナットを回転駆動することによってナットとともに可動フードをスライド移動させて、リール脚を保持する状態とリール脚より離間する状態とに切り換えていた。
【００６３】
上記したような構成を採っていたので、ネジ部の長さを可動フードが移動できるだけの十分な長さとするために、そのネジ部の部分が可動フード及びナットから大きくはみ出して表出することとなり、そのネジ部にリール脚とリールシートとを伴握りする手が接触して、手に違和感を与え手を痛くする虞があった。
また、ナットに手が触れるところから、仕掛けを投入する際等に竿を振ると同時にナットを緩め操作するところからナットが釣り操作の途中で緩みを生じたり、ナットを可動フードとともに移動させる必要から、ナットとネジ部との咬合状態は比較的甘く設置されており、ナットがネジ部に螺合した状態であっても、多少ナットにガタツキが生ずる等の欠点があった。
【００６４】
これに対して本願発明においては、ネジ部１５Ａ、１３ｅが表出していないので、ネジ部１５Ａ、１３ｅにリール脚５Ａとリールシート４とを伴握りする手が接触することはなく、違和感が少なく、手が痛くなることがない。ナット体１５は筒状のシートボディ１０の軸線方向には移動不能に取付られているので、ナット体１５が緩みを生ずることはなく、ガタツキを生ずることはない。
【００６５】
ストッパー体１６の更に竿尻側には、装飾リング１７が設けてある。この装飾リング１７については、先に説明したのでここでは、簡単に述べる。
図２〜図６に示すように、装飾リング１７は、外周面に大径部１７ａと小径部１７ｂを有しており、小径部１７ｂをストッパー体１６の竿尻開口端の内周面に密着する状態で装着され、大径部１７ａと小径部１７ｂとの段差部分をストッパー体１６の竿尻端に当接させて、位置決めされるものである。大径部１７ａはストッパー体１６の外周面と段差の無い状態で繋がるように、同一外径に設定されている。装飾リング１７はストッパー体１６に接着固定される。
【００６６】
〔別実施形態〕
（１）  フード部を形成するのに、カバー体１１、１２を用いなくともよい。シートボディ１０のフード部形成部位を膨出形成して構成するだけでもよい。
（２）  一方のフード部７を固定側のフード部、他方のフード部８を可動側のフード部としたが、両方のフード部７、８を可動側のフード部に構成してもよい。
（３）  上記リールシート４を適用する釣り竿Ａとしては、前記した投げ竿だけでなく、磯竿、船竿等に使用してもよい。
【図面の簡単な説明】
【００６７】
【図１】投げ竿を示す組み立て前の側面図
【図２】リールシートにリールを取り付けた状態を示す側面図
【図３】リールシートを示す斜視図
【図４】リールシートを示す分解斜視図
【図５】リールシートを組み立てる前の状態を示す縦断側面図
【図６】リールシートにリールを取り付けた状態を示す縦断側面図
【図７】図６におけるＶＩＩ―ＶＩＩ線断面図
【図８】図６におけるＶＩＩＩ―ＶＩＩＩ線断面図
【図９】図６におけるＩＸ―ＩＸ線断面図
【図１０】（ａ）可動側のフード部でリール脚を保持する前の状態を示す縦断側面図、（ｂ）可動側のフード部でリール脚を保持した状態を示す縦断側面図
【図１１】シートボディを示す平面図
【図１２】シートボディを示す側面図、
【図１３】図１２におけるＸＩＩＩ―ＸＩＩＩ線断面図
【図１４】図１２におけるＸＩＶ―ＸＩＶ線断面図
【図１５】図１２におけるＸＶ―ＸＶ線断面図
【図１６】スリーブの側面図
【図１７】スリーブの前面図
【図１８】脚押さえ体の平面図
【図１９】脚押さえ体の側面図
【図２０】脚押さえ体の縦断正面図
【図２１】ストッパー体の縦断側面図
【図２２】図２１におけるＸＸＩＩ―ＸＸＩＩ線断面図
【図２３】ストッパー体をシートボディの竿尻端に取り付ける前の状態を示す分解斜視図
【符号の説明】
【００６８】
３            元竿（竿体）
５            スピニングリール（リール）
７、８        フード部
１０          筒状のシートボディ
１０ｃ        削り代部分（取付用の座面）
１１、１２    カバー体
【図１】
0005455316.tif 000002
【図２】
0005455316.tif 000003
【図３】
0005455316.tif 000004
【図４】
0005455316.tif 000005
【図５】
0005455316.tif 000006
【図６】
0005455316.tif 000007
【図７】
0005455316.tif 000008
【図８】
0005455316.tif 000009
【図９】
0005455316.tif 000010
【図１０】
0005455316.tif 000011
【図１１】
0005455316.tif 000012
【図１２】
0005455316.tif 000013
【図１３】
0005455316.tif 000014
【図１４】
0005455316.tif 000015
【図１５】
0005455316.tif 000016
【図１６】
0005455316.tif 000017
【図１７】
0005455316.tif 000018
【図１８】
0005455316.tif 000019
【図１９】
0005455316.tif 000020
【図２０】
0005455316.tif 000021
【図２１】
0005455316.tif 000022
【図２２】
0005455316.tif 000023
【図２３】
0005455316.tif 000024